【手続補正書】
【提出日】平成29年5月18日(2017.5.18)
【手続補正１】
【補正対象書類名】特許請求の範囲
【補正対象項目名】請求項２
【補正方法】変更
【補正の内容】
【請求項２】
前記第１コインシュートユニットと前記第２コインシュートユニットとを交換することにより、前記コインの排出先が前記第１コイン排出口と前記第２コイン排出口との間で切り替えられる請求項１に記載のコインホッパ。
【手続補正２】
【補正対象書類名】明細書
【補正対象項目名】００１１
【補正方法】変更
【補正の内容】
【００１１】
（２）本発明のコインホッパの好ましい例では、前記第１コインシュートユニットと前記第２コインシュートユニットとを交換することにより、前記コインの排出先が前記第１コイン排出口と前記第２コイン排出口との間で切り替え可能に構成されている。
【手続補正３】
【補正対象書類名】明細書
【補正対象項目名】００１６
【補正方法】変更
【補正の内容】
【００１６】
以下、添付図面を参照しながら、本発明の好適な実施形態について説明する。本発明の実施形態に係るコインホッパ１００を図１〜図１９を参照しながら説明する。コインホッパ１００は、ばら積み状態のコインＣを一枚ずつに分離して送り出すコイン送出部２００と、コイン送出部２００から送り出されたコインＣを排出する第１および第２コイン排出口１１２、１１４が設けられた基台１１０と、コイン送出部２００から送り出されたコインＣを第１および第２コイン排出口１１２、１１４のいずれかに案内するコインシュートを構成する第１および第２コインシュートユニット３１０、３５０を備えて構成されている。
【手続補正４】
【補正対象書類名】明細書
【補正対象項目名】００２２
【補正方法】変更
【補正の内容】
【００２２】
回転ディスク２４０は、回転軸線Ｌ１の周りに、ホッパーヘッド２０２側の表面からベース２２０側の裏面まで貫通する複数の貫通孔２４２が形成されている。これにより、ホッパーヘッド２０２に貯留されたコインＣは貫通孔２４２を介してベース２２０の凹部２２２の底面に案内される。回転ディスク２４０の裏面には、隣接する貫通孔２４２の間に、回転ディスク２４０の裏面から突出する押動部２４４が形成されている。回転ディスク２４０の回転に伴って、押動部２４４は凹部２２２内において回転移動する。これにより、貫通孔２４２を介して凹部２２２の底面上に案内されたコインＣは、コインＣの一面が凹部２２２の底面に保持され、かつ、凹部２２２の周面にコインＣの周面が案内されつつ、回転ディスク２４０の回転に伴って回転移動する押動部２４４に押動される。
【手続補正５】
【補正対象書類名】明細書
【補正対象項目名】００３２
【補正方法】変更
【補正の内容】
【００３２】
蓋部３０２は側面視で略Ｌ字状に形成されている。蓋部３０２は、略Ｌ字状の一方が基台１１０の背面側に位置する背面部３０２ａを構成し、他方が基台１１０の上部側に位置する上面部を構成している。蓋部３０２は、略Ｌ字状の角部に曲面状のシュート面３０４が形成されている。蓋部３０２のシュート面３０４は、第１コインシュートユニット３１０と共に第１コインシュート３１２を構成し、第２コインシュートユニット３５０と共に第２コインシュート３５２を構成する。
【手続補正６】
【補正対象書類名】明細書
【補正対象項目名】００３６
【補正方法】変更
【補正の内容】
【００３６】
第２構成部材３３０は、湾曲状に形成された第２シュート面３３２を有している。第２構成部材３３０は、所定の勾配を有する第１シュート面部３３２ａと、凸状に湾曲した第２シュート面部３３２ｂとを有し、第１および第２シュート面部３３２ａ、３３２ｂは連続的に滑らかに連結されている。第２シュート面部３３２ｂは、第１シュート面部３３２ａとの接続部から離れるにつれて第１シュート面部３３２ａの勾配面を含む平面から離れるように形成されている。第２構成部材３３０の第１シュート面部３３２ａの第２シュート面部３３２ｂと反対側の端部は、蓋部３０２が閉位置Ｐ１にある時に、蓋部３０２のシュート面３０４と略連続的に滑らかになるように構成されている。
【手続補正７】
【補正対象書類名】明細書
【補正対象項目名】００４２
【補正方法】変更
【補正の内容】
【００４２】
第１構成部材３６０は、湾曲状に形成された第１シュート面３６２と第１シュート面３６２に垂直に形成された一対の側壁３６４とを有している。第１構成部材３６０の第１シュート面３６２は、所定の勾配を有する第１シュート面部３６２ａと、第１シュート面部３６２ａより大きい勾配を有する第２シュート面部３６２ｂと、第２シュート面部３６２ｂに対して凹状に湾曲した第３シュート面部３６２ｃとを有し、第１〜第３シュート面部３６２ａ、３６２ｂ、３６２ｃのそれぞれは互いに隣接するシュート面部と連続的に滑らかに連結されている。第１構成部材３６０の第１シュート面３６２は、第２シュート面部３６２ｂで突出し、第３シュート面部３６２ｃの放物点が第２シュート面部３６２ｂより最も凹んだ略Ｓ字状に形成されている。
【手続補正８】
【補正対象書類名】明細書
【補正対象項目名】００５４
【補正方法】変更
【補正の内容】
【００５４】
コインＣが第２構成部材３３０の第２シュート面部３３２ｂまで移動すると、コインＣの移動方向の下流側の端部が、第２構成部材３３０の第２シュート面部３３２ｂから離れ、第１構成部材３２０の第１シュート面３２２の第４シュート面部３２２ｄと接触する。コインＣの移動方向の下流側の端部が第１構成部材３２０の第４シュート面部３２２ｄと接触した後、コインＣの移動方向の下流側の端部が第１構成部材３２０の第４シュート面部３２２ｄに沿って移動すると共に、コインＣの移動方向の上流側の端部が第２構成部材３３０の第２シュート面３３２側から第１構成部材３２０の第４シュート面部３２２ｄ側に移動し、コインＣは第１構成部材３２０の第４シュート面部３２２ｄに沿って出口３１６に向かって移動する。これにより、コインＣは、出口３１６を通過し、第１コイン排出口１１２から排出される。
【手続補正９】
【補正対象書類名】明細書
【補正対象項目名】００５７
【補正方法】変更
【補正の内容】
【００５７】
１００  コインホッパ
１１０  基台
１１２  第１コイン排出口
１１４  第２コイン排出口
１２０  側面
１２２  底面
１２４  背面
１２６  貫通孔
１２８  貫通孔
２００  コイン送出部
２０２  ホッパーヘッド
２０４  投入口
２０６  投入検知部
２２０  ベース
２２２  凹部
２２４  送出通路
２２６  送出口
２２８  ピン
２３２  モータ
２３４  減速機
２３６  回転軸
２４０  回転ディスク
２４２  貫通孔
２４４  押動部
２５０  ガイド
２５２  側面
２５４  端部
２６０  送出装置
２６２  ローラ
２６４  回動軸
２６６  貫通孔
２６８  接続部材
２７０  コイン払出し検出手段
２７２  被検出部材
２７４  センサ
２７６  ブラケット
３００  コインシュートユニット
３０２  蓋部
３０２ａ  背面部
３０４  シュート面
３０６  係止部
３０８  軸
３１０  第１コインシュートユニット
３１２  第１コインシュート
３１４  入口
３１６  出口
３２０  第１構成部材
３２２  第１シュート面
３２４  側壁
３３０  第２構成部材
３３２  第２シュート面
３５０  第２コインシュートユニット
３５２  第２コインシュート
３５４  入口
３５６  出口
３６０  第１構成部材
３６２  第１シュート面
３６４  側壁
３７０  第２構成部材
３７２  第２シュート面
３８０  シュートユニット交換部
Ｃ  コイン
Ｐ１  閉位置
Ｐ２  開位置
Ｐ３  待機位置
Ｐ４  移動位置
Ｌ１  回転軸線
【手続補正１０】
【補正対象書類名】図面
【補正対象項目名】図４
【補正方法】変更
【補正の内容】
【図４】
2017033233.tif 000001
【手続補正１１】
【補正対象書類名】図面
【補正対象項目名】図７
【補正方法】変更
【補正の内容】
【図７】
2017033233.tif 000002
【手続補正１２】
【補正対象書類名】図面
【補正対象項目名】図８
【補正方法】変更
【補正の内容】
【図８】
2017033233.tif 000003
【手続補正１３】
【補正対象書類名】図面
【補正対象項目名】図９
【補正方法】変更
【補正の内容】
【図９】
2017033233.tif 000004
【手続補正１４】
【補正対象書類名】図面
【補正対象項目名】図１３
【補正方法】変更
【補正の内容】
【図１３】
2017033233.tif 000005
【手続補正１５】
【補正対象書類名】図面
【補正対象項目名】図１５
【補正方法】変更
【補正の内容】
【図１５】
2017033233.tif 000006
【手続補正１６】
【補正対象書類名】図面
【補正対象項目名】図１６
【補正方法】変更
【補正の内容】
【図１６】
2017033233.tif 000007